(57)【要約】【課題】  ロールペーパーの支持片を強固に起立させ、ロールペーパーを宙に浮かせた状態で安定的に枢支すること。【解決手段】  ロールペーパー繰り出し容器１において、一方において相対する内側蓋フラップ２１、２３を蓋部２０の内面側で突き合せて内面突き合せ部２５を形成するとともに、他方において相対する外側蓋フラップ２２、２４を蓋部２０の外面側で突き合せて外面突き合せ部２６を形成し、外面突き合せ部２６で突き合せた両外側蓋フラップ２２、２４が備える支持片２２Ａ、２４Ａを互いに背中合せにし、これらの支持片２２Ａ、２４Ａを内面突き合せ部２５で突き合されている両内側蓋フラップ２１、２３に設けてある切欠部２１Ｂ、２３Ｂに係入して組立てられるもの。【選択図】  図１
0003132893.tif 000002
【実用新案登録請求の範囲】
【請求項１】
筒状胴部を形成する４つの胴板と、４つの胴板の両端に接続されて筒状胴部の両端開口を封止する蓋部を形成する蓋フラップとを有し、
筒状胴部に収容されたロールペーパーの中空巻芯に挿入されて該ロールペーパーを枢支する支持片を両蓋部の蓋フラップに備え、
ロールペーパーの繰り出し部分を取り出すための取り出し口を筒状胴部に設けるとともに、該胴部における取り出し口の側傍にペーパーカッターを設けてなるロールペーパー繰り出し容器において、
一方において相対する内側蓋フラップを蓋部の内面側で突き合せて内面突き合せ部を形成するとともに、他方において相対する外側蓋フラップを蓋部の外面側で突き合せて外面突き合せ部を形成し、
外面突き合せ部で突き合せた両外側蓋フラップが備える支持片を互いに背中合せにし、これらの支持片を内面突き合せ部で突き合されている両内側蓋フラップに設けてある切欠部に係入して組立てられることを特徴とするロールペーパー繰り出し容器。
【請求項２】
前記内面突き合せ部で突き合される両内側蓋フラップが備える内側支持片を互いに背中合せするとともに、外面突き合せ部で突き合せた両外側蓋フラップが備える外側支持片を互いに背中合せし、これらの外側支持片を内面突き合せ部で突き合されている両内側蓋フラップ及びそれらの内側支持片に設けてある切欠部に係入し、かつそれらの内側支持片に外側支持片に設けてある切欠部を係入して組立てられる請求項１に記載のロールペーパー繰り出し容器。
【考案の詳細な説明】
【技術分野】
【０００１】
本考案は、卓上、化粧台、台所、オフィス、トイレ、簡易トイレ等で使用され、ティッシュペーパー、トイレットペーパー、ペーパータオル、メモ用紙等のためのロールペーパー繰り出し容器に関する。
【背景技術】
【０００２】
ロールペーパー繰り出し容器として、特許文献１に記載の如く、互いに対向する３組の面が平行な６面体で構成され、連続的に巻き重ねられたロールペーパーを収容し、その繰り出し部分を切断するカッターを備えたものがある。このロールペーパー繰り出し容器において、左右側板は、分断された上部及び下部のいずれか一方の分断線中央部から延出し、容器内方へ折り曲げされてロールペーパーの中空の巻心に挿通可能なロールペーパーを支えるための支持翼を有して構成される。
【特許文献１】実登録第3026260号
【考案の開示】
【考案が解決しようとする課題】
【０００３】
しかしながら、特許文献１に記載のロールペーパー繰り出し容器は、左右側板の分断線中央部から延出した支持翼を単に容器内方へ折り曲げ、この支持翼にロールペーパーを枢支するものである。左右側板から容器内方への支持翼の起立状態が脆弱で固定的でなく、ロールペーパーを安定確実に枢支できないから、ロールペーパーの繰り出しの安定を欠く。
【０００４】
本考案の課題は、ロールペーパーの支持片を強固に起立させ、ロールペーパーを宙に浮かせた状態で安定的に枢支することにある。
【課題を解決するための手段】
【０００５】
請求項１の考案は、筒状胴部を形成する４つの胴板と、４つの胴板の両端に接続されて筒状胴部の両端開口を封止する蓋部を形成する蓋フラップとを有し、筒状胴部に収容されたロールペーパーの中空巻芯に挿入されて該ロールペーパーを枢支する支持片を両蓋部の蓋フラップに備え、ロールペーパーの繰り出し部分を取り出すための取り出し口を筒状胴部に設けるとともに、該胴部における取り出し口の側傍にペーパーカッターを設けてなるロールペーパー繰り出し容器において、一方において相対する内側蓋フラップを蓋部の内面側で突き合せて内面突き合せ部を形成するとともに、他方において相対する外側蓋フラップを蓋部の外面側で突き合せて外面突き合せ部を形成し、外面突き合せ部で突き合せた両外側蓋フラップが備える支持片を互いに背中合せにし、これらの支持片を内面突き合せ部で突き合されている両内側蓋フラップに設けてある切欠部に係入して組立てられるようにしたものである。
【０００６】
請求項２の考案は、請求項１の考案において更に、前記内面突き合せ部で突き合される両内側蓋フラップが備える内側支持片を互いに背中合せするとともに、外面突き合せ部で突き合せた両外側蓋フラップが備える外側支持片を互いに背中合せし、これらの外側支持片を内面突き合せ部で突き合されている両内側蓋フラップ及びそれらの内側支持片に設けてある切欠部に係入し、かつそれらの内側支持片に外側支持片に設けてある切欠部を係入して組立てられるようにしたものである。
【考案の効果】
【０００７】
（請求項１）
(a)ロールペーパー繰り出し容器において、外面突き合せ部で突き合せた両外側蓋フラップが備える支持片を互いに背中合せにし、これらの支持片を内面突き合せ部で突き合されている両内側蓋フラップに設けてある切欠部に係入して組立てられる。両外側蓋フラップが備える支持片を互いに背中合せにし、かつこれらの支持片を両内側蓋フラップの切欠部に係入することにより、支持片の起立状態を強固にし、ロールペーパーを宙に浮かせた状態で安定的に枢支できる。従って、使用により減少するロールペーパーを常に同じ取り出し口から確保でき、安定的に繰り出しできる。
【０００８】
（請求項２）
(b)内面突き合せ部で突き合される両内側蓋フラップが備える内側支持片を互いに背中合せするとともに、外面突き合せ部で突き合せた両外側蓋フラップが備える外側支持片を互いに背中合せし、これらの外側支持片を内面突き合せ部で突き合されている両内側蓋フラップ及びそれらの内側支持片に設けてある切欠部に係入し、かつそれらの内側支持片に外側支持片に設けてある切欠部を係入して組立てられる。従って、両外側蓋フラップが備える外側支持片を互いに背中合せにするとともに、両内側蓋フラップが備える内側支持片を互いに背中合せにし、かつこれらの外側支持片を両内側蓋フラップ及びそれらの内側支持片の切欠部に係入するとともに、それらの内側支持片に外側支持片に設けてある切欠部を係入することにより、外側支持片と内側支持片を十文字に組合せ、それらの起立状態を強固にするとともに、ロールペーパーを宙に浮かせた状態で極めて安定的に枢支できる。
【考案を実施するための最良の形態】
【０００９】
図１は実施例１のロールペーパー繰り出し容器の内部を透視して示す斜視図、図２は一方の蓋部を開いた状態の内部を透視して示す斜視図、図３は容器の展開図、図４は実施例２のロールペーパー繰り出し容器の内部を透視して示す斜視図、図５は一方の蓋部を開いた状態の内部を透視して示す斜視図、図６は容器の展開図である。
【実施例】
【００１０】
（実施例１）
図１に示したロールペーパー繰り出し容器１は、筒状胴部１０を形成する４つの胴板１１〜１４と、４つの胴板１１〜１４の両端に接続されて筒状胴部１０の両端開口を封止する蓋部２０、３０を形成する蓋フラップ２１〜２４、３１〜３４を有する。
【００１１】
容器１は、筒状胴部１０に収容されたロールペーパー２の中空巻心２Ａに挿入されて該ロールペーパー２を枢支する支持片２１Ａ〜２４Ａ、３１Ａ〜３４Ａを、蓋フラップ２１〜２４、３１〜３４に備える。
【００１２】
容器１は、ロールペーパー２の繰り出し部分を取り出すための取り出し口４１を筒状胴部１０のいずれかの胴板、本実施例では胴板１３に設けるとともに、筒状胴部１０における取り出し口４１の側傍、本実施例では胴板１３と胴板１４の折り込み線上に切込み形成した鋸歯状のペーパーカッター４２を設ける。
【００１３】
容器１は、段ボール紙又は板紙等の紙からなり、図３に示す如くの展開紙から折り上げられる。容器１は、図３に示す如く、胴板１１の側縁に糊付フラップ１１Ａを備えるとともに、蓋フラップ２１及び支持片２１Ａにそれらの折り込み線に交差する両端閉塞状の切欠部２１Ｂを備え、支持片２２Ａにその先端に開口する切欠部２２Ｂを備え、蓋フラップ２３及び支持片２３Ａにそれらの折り込み線に交差する両端閉塞状の切欠部２３Ｂを備え、支持片２４Ａにその先端に開口する切欠部２４Ｂを備える。また、蓋フラップ３１及び支持片３１Ａにそれらの折り込み線に交差する両端閉塞状の切欠部３１Ｂを備え、支持片３２Ａにその先端に開口する切欠部３２Ｂを備え、蓋フラップ３３及び支持片３３Ａにそれらの折り込み線に交差する両端閉塞状の切欠部３３Ｂを備え、支持片３４Ａにその先端に対向する切欠部３４Ｂを備える。
【００１４】
容器１の構成をその組立手順とともに説明すれば以下の通りになる（図２）。
(1)容器１の一端側の蓋部２０を組立てる。
胴板１１の糊付フラップ１１Ａを胴板１４に貼り合せて筒状胴部１０を形成した後、蓋部２０を形成する一方において相対する内側蓋フラップ２１、２３を蓋部２０の内面側で突き合せて内面突き合せ部２５（図１）を形成するとともに、他方において相対する外側蓋フラップ２２、２４を蓋部２０の外面側で突き合せて外面突き合せ部２６を形成する。内面突き合せ部２５と外面突き合せ部２６は平面視で十文字状に直交する。
【００１５】
このとき、内面突き合せ部２５で突き合される両内側蓋フラップ２１、２３が備える内側支持片２１Ａ、２３Ａを互いに背中合せにするとともに、外面突き合せ部２６で突き合される両外側蓋フラップ２２、２４が備える外側支持片２２Ａ、２４Ａを互いに背中合せにする。
【００１６】
そして、外側支持片２２Ａ、２４Ａを内面突き合せ部２５で突き合されている両内側蓋フラップ２１、２３及びそれらの内側支持片２１Ａ、２３Ａに設けてある切欠部２１Ｂ、２３Ｂに係入し、かつそれらの内側支持片２１Ａ、２３Ａに外側支持片２２Ａ、２４Ａに設けてある切欠部２２Ｂ、２４Ｂを係入して組立てる。
【００１７】
これにより、容器１の蓋部２０が封止され、背中合せの内側支持片２１Ａ、２３Ａと、背中合せの外側支持片２２Ａ、２４Ａは互いに十文字に組合され、蓋部２０の裏面の中央に起立する。
【００１８】
(2)ロールペーパー２が容器１に収容される。ロールペーパー２の中空巻心２Ａが蓋部２０の裏面に十文字をなして起立している支持片２１Ａ〜２４Ａに挿入される。
【００１９】
(3)容器１の他端側の蓋部３０を組立てる。
蓋部３０を形成する一方において相対する内側蓋フラップ３１、３３を蓋部３０の内面側で突き合せて内面突き合せ部３５（図１）を形成するとともに、他方において相対する外側蓋フラップ３２、３４を蓋部３０の外面側で突き合せて外面突き合せ部３６（図１）を形成する。内面突き合せ部３５と外面突き合せ部３６は平面視で十文字状に直交する。
【００２０】
このとき、内面突き合せ部３５で突き合される両内側蓋フラップ３１、３３が備える内側支持片３１Ａ、３３Ａを互いに背中合せにするとともに、外面突き合せ部３６で突き合される両外側蓋フラップ３２、３４が備える外側支持片３２Ａ、３４Ａを互いに背中合せにする。
【００２１】
そして、外側支持片３２Ａ、３４Ａを内面突き合せ部３５で突き合されている両内側蓋フラップ３１、３３及びそれらの内側支持片３１Ａ、３３Ａに設けてある切欠部３１Ｂ、３３Ｂに係入し、かつそれらの内側支持片３１Ａ、３３Ａに外側支持片３２Ａ、３４Ａに設けてある切欠部３２Ｂ、３４Ｂを係入して組立てる。
【００２２】
これにより、容器１の蓋部３０が封止され、背中合せの内側支持片３１Ａ、３３Ａと、背中合せの外側支持片３２Ａ、３４Ａは互いに十文字に組合され、蓋部３０の裏面の中央に起立し、容器１に収容されているロールペーパー２の中空巻心２Ａに挿入される。ロールペーパー２は容器１の両端の蓋部２０、３０の支持片２１Ａ〜２４Ａ、３１Ａ〜３４Ａに枢支され、取り出し口４１から繰り出される部分をペーパーカッター４２で切断されて使用に供される。
【００２３】
本実施例によれば以下の作用効果を奏する。
両外側蓋フラップ２２、２４（３２、３４）が備える外側支持片２２Ａ、２４Ａ（３２Ａ、３４Ａ）を互いに背中合せにするとともに、両内側蓋フラップ２１、２３（３１、３３）が備える内側支持片２１Ａ、２３Ａ（３１Ａ、３３Ａ）を互いに背中合せにし、かつこれらの外側支持片２２Ａ、２４Ａ（３２Ａ、３４Ａ）を両内側蓋フラップ２１、２３（３１、３３）及びそれらの内側支持片２１Ａ、２３Ａ（３１Ａ、３３Ａ）の切欠部２１Ｂ、２３Ｂ（３１Ｂ、３３Ｂ）に係入するとともに、それらの内側支持片２１Ａ、２３Ａ（３１Ａ、３３Ａ）に外側支持片２２Ａ、２４Ａ（３２Ａ、３４Ａ）に設けてある切欠部２２Ｂ、２４Ｂ（３２Ｂ、３４Ｂ）を係入することにより、外側支持片２２Ａ、２４Ａ（３２Ａ、３４Ａ）と内側支持片２１Ａ、２３Ａ（３１Ａ、３３Ａ）を十文字に組合せ、それらの起立状態を強固にするとともに、ロールペーパー２を宙に浮かせた状態で極めて安定的に枢支できる。従って、使用により減少するロールペーパー２を常に同じ取り出し口４１から確保でき、安定的に繰り出しできる。
【００２４】
（実施例２）
実施例２のロールペーパー繰り出し容器１Ａが実施例１のロールペーパー繰り出し容器１と異なる点は、図４〜図６に示す如く、ロールペーパー２の中空巻心２Ａを枢支する支持片２２Ａ、２４Ａ、３２Ａ、３４Ａを、蓋フラップ２２、２４、３２、３４にだけ備えたことにある。容器１Ａは、蓋フラップ２１、２３にそれらの先端に開口する切欠部２１Ｋ、２３Ｋを備え、蓋フラップ３１、３３にそれらの先端に開口する切欠部３１Ｋ、３３Ｋを備える。尚、本実施例では、取り出し口４１を胴板１２に設け、ペーパーカッター４２を胴板１２と胴板１３の折り込み線上に設けた。
【００２５】
従って、容器１Ａの構成をその組立手順とともに説明すれば以下の通りになる。
(1)容器１Ａの一端側の蓋部２０を組立てる。
胴板１１の糊付フラップ１１Ａを胴板１４に貼り合せて筒状胴部１０を形成した後、蓋部２０を形成する一方において相対する内側蓋フラップ２１、２３を蓋部２０の内面側で突き合せて内面突き合せ部２５（図４）を形成するとともに、他方において相対する外側蓋フラップ２２、２４を蓋部２０の外面側で突き合せて外面突き合せ部２６を形成する。内面突き合せ部２５と外面突き合せ部２６は平面視で十文字状に直交する。
【００２６】
このとき、外面突き合せ部２６で突き合される両外側蓋フラップ２２、２４が備える外側支持片２２Ａ、２４Ａを互いに背中合せにする。
【００２７】
そして、外側支持片２２Ａ、２４Ａを内面突き合せ部２５で突き合されている両内側蓋フラップ２１、２３に設けてある切欠部２１Ｋ、２３Ｋに係入して組立てる。
【００２８】
これにより、容器１Ａの蓋部２０が封止され、背中合せの外側支持片２２Ａ、２４Ａは互いに一文字に組合され、蓋部２０の裏面の中央に起立する。
【００２９】
(2)ロールペーパー２が容器１Ａに収容される。
ロールペーパー２の中空巻心２Ａが蓋部２０の裏面に一文字をなして起立している支持片２２Ａ、２４Ａに挿入される。
【００３０】
(3)容器１Ａの他端側の蓋部３０を組立てる。
蓋部３０を形成する一方において相対する内側蓋フラップ３１、３３を蓋部３０の内面側で突き合せて内面突き合せ部３５を形成するとともに、他方において相対する外側蓋フラップ３２、３４を蓋部３０の外面側で突き合せて外面突き合せ部３６（図４）を形成する。内面突き合せ部３５と外面突き合せ部３６は平面視で十文字状に直交する。
【００３１】
このとき、外面突き合せ部３６で突き合される両外側蓋フラップ３２、３４が備える外側支持片３２Ａ、３４Ａを互いに背中合せにする。
【００３２】
そして、外側支持片３２Ａ、３４Ａを内面突き合せ部３５で突き合されている両内側蓋フラップ３１、３３に設けてある切欠部３１Ｋ、３３Ｋに係入して組立てる。
【００３３】
これにより、容器１Ａの蓋部３０が封止され、背中合せの外側支持片３２Ａ、３４Ａは互いに一文字に組合され、蓋部３０の裏面の中央に起立し、容器１Ａに収容されているロールペーパー２の中空巻心２Ａに挿入される。ロールペーパー２は容器１Ａの両端の蓋部２０、３０の支持片２２Ａ、２４Ａ、３２Ａ、３４Ａに枢支され、取り出し口４１から繰り出される部分をペーパーカッター４２で切断されて使用に供される。
【００３４】
本実施例によれば以下の作用効果を奏する。
両外側蓋フラップ２２、２４（３２、３４）が備える支持片２２Ａ、２４Ａ（３２Ａ、３４Ａ）を互いに背中合せにし、かつこれらの支持片２２Ａ、２４Ａ（３２Ａ、３４Ａ）を両内側蓋フラップ２１、２３（３１、３３）の切欠部２１Ｋ、２３Ｋ（３１Ｋ、３３Ｋ）に係入することにより、支持片２２Ａ、２４Ａ（３２Ａ、３４Ａ）の起立状態を強固にし、ロールペーパー２を宙に浮かせた状態で安定的に枢支できる。従って、使用により減少するロールペーパー２を常に同じ取り出し口４１から確保でき、安定的に繰り出しできる。
【００３５】
以上、本考案の実施例を図面により詳述したが、本考案の具体的な構成はこの実施例に限られるものではなく、本考案の要旨を逸脱しない範囲の設計の変更等があっても本考案に含まれる。
【図面の簡単な説明】
【００３６】
【図１】図１は実施例１のロールペーパー繰り出し容器の内部を透視して示す斜視図である。
【図２】図２は一方の蓋部を開いた状態の内部を透視して示す斜視図である。
【図３】図３は容器の展開図である。
【図４】図４は実施例２のロールペーパー繰り出し容器の内部を透視して示す斜視図である。
【図５】図５は一方の蓋部を開いた状態の内部を透視して示す斜視図、
【図６】図６は容器の展開図である。
【符号の説明】
【００３７】
１、１Ａ  ロールペーパー繰り出し容器
１０  筒状胴部
１１〜１４  胴板
２０  蓋部
２１〜２４  蓋フラップ
２１Ａ〜２４Ａ  支持片
２１Ｂ〜２４Ｂ、２１Ｋ、２３Ｋ  切欠部
２５  内面突き合せ部
２６  外面突き合せ部
３０  蓋部
３１〜３４  蓋フラップ
３１Ａ〜３４Ａ  支持片
３１Ｂ〜３４Ｂ、３１Ｋ、３３Ｋ  切欠部
３５  内面突き合せ部
３６  外面突き合せ部
４１  取り出し口
４２  ペーパーカッター
【図１】
0003132893.tif 000003
【図２】
0003132893.tif 000004
【図３】
0003132893.tif 000005
【図４】
0003132893.tif 000006
【図５】
0003132893.tif 000007
【図６】
0003132893.tif 000008